(57)【特許請求の範囲】
【請求項１】
使用者の足の足裏側を配置するための靴底部と、
前記靴底部から立ち上がるように、且つ、使用者の足を包むように形成されるアッパー本体部とを有するベビーシューズであって、
前記アッパー本体部は、使用者の足を挿入するための履き口部と、
前記履き口部の一部を切り欠いて爪先側方向に向かって形成されている足挿入用開口部とを有し、
前記足挿入用開口部を覆うように配置される舌状当接部は、前記舌状当接部を前記足挿入用開口部側に押し付けるための押し付け部を有し、
前記押し付け部には、前記舌状当接部を前記足挿入用開口部を覆う状態で維持させると共に、前記舌状当接部を踵側に向かって、使用者の足の甲に押し付けるように固定させるための位置固定部が接続され、
前記押し付け部は、前記舌状当接部との相対位置が変更可能な構成となっていると共に、前記アッパー本体部に沿って、前記舌状当接部から離間する方向に前記位置固定部が移動するにしたがい前記舌状当接部を前記足挿入用開口部側により押し付ける構成となっており、
前記押し付け部は、ループ状に形成された紐状部材からなり、この紐状部材は、複数の交差部を形成することで、複数の囲繞形状を形成して前記舌状当接部上の前記履き口部側と前記爪先側とを結ぶ方向である舌状当接部長手方向に沿って配置され、
前記舌状当接部長手方向と交差して配置される前記紐状部材が、少なくとも、使用者の足が最も屈曲する部分である足指屈曲部の前記アッパー本体部における対応領域に配置され、
前記対応領域に配置されている前記紐状部材を有する爪先側の前記囲繞形状の両側には、前記囲繞形状を形成する前記紐状部材を保持する紐状部材保持部が配置され、
前記爪先側の囲繞形状を除く前記履き口部側の前記囲繞形状の両側の前記紐状部材に対して前記位置固定部がそれぞれ配置され、
前記位置固定部を前記アッパー本体部に沿って、前記舌状当接部から離間する方向に移動させることで、前記囲繞形状を形成する前記紐状部材の前記舌状当接部に対する押し付け力が強くなる構成となっていることを特徴とするベビーシューズ。
【請求項２】
前記複数の囲繞形状は、前記舌状当接部長手方向に沿って、前記履き口部から前記爪先部にかけて、それぞれ、上部囲繞形状、中部囲繞形状及び下部囲繞形状を含み、前記上部囲繞形状及び前記中部囲繞形状には、前記位置固定部が配置され、前記下部囲繞形状には、前記紐状部材保持部が配置されていることを特徴とする請求項１に記載のベビーシューズ。
【請求項３】
前記舌状当接部には、前記舌状当接部長手方向と交差して配置される前記紐状部材の前記舌状当接部長手方向における移動を規制するための移動規制部が形成されていることを特徴とする請求項１又は請求項２に記載のベビーカー。
【請求項４】
前記足指屈曲部の前記靴底部における対応領域には、屈曲溝部が形成されていることを特徴とする請求項１乃至請求項３のいずれか１項に記載のベビーシューズ。
【請求項５】
前記移動規制部が、前記舌状当接部の略中央部を前記舌状当接部長手方向に沿って配置され、前記紐状部材からなる前記囲繞形状は、前記移動規制部の両側に略対称に形成される構成となっていることを特徴とする請求項１乃至請求項４のいずれか１項に記載のベビーシューズ。
【発明の詳細な説明】
【技術分野】
【０００１】
本発明は、主に乳幼児等が歩行等の際に使用するベビーシューズに関するものである。
【背景技術】
【０００２】
従来から乳幼児等のための靴としてベビーシューズが広く使用されている。このようなベビーシューズについては、近年、研究が進み、単に大人靴を小型化したような靴ではなく、乳幼児等が履きやすく、歩きやすい構成となっているベビーシューズが提案されている（例えば、特許文献１）。
【０００３】
このようなベビーシューズは、乳幼児等が履き易いように、足を挿入するための履き口部と、この履き口部からアッパーの爪先側に向かって伸びるように形成されている開口である足挿入用開口部を備えている。
また、この足挿入用開口部を覆うように舌状当接部が配置可能となっており、さらに、この舌状当接部の両側には、舌状当接部をアッパーに固定するための固定ベルトが形成されている。
このため、ベビーシューズを履こうとする乳幼児等は、自ら又は保護者等が、固定ベルトを操作し、舌状当接部を足挿入用開口部から離間方向に移動させることで、その足を入れ易い構成となっている。
そして、足を挿入した後は、保護者等が、舌状当接部を足挿入用開口部を覆うように移動、配置させ、固定用ベルトをアッパーに固定することで、乳幼児等が速やかにベビーシューズを履くことができる構成となっている。
【先行技術文献】
【特許文献】
【０００４】
【特許文献１】特開２００７−１０５５２６号公報
【発明の概要】
【発明が解決しようとする課題】
【０００５】
乳幼児等の歩行について、出願人が鋭意研究した結果、乳幼児等は、その月齢によって歩行又は動作が異なることが分かっている。
すなわち、例えば、月齢９ヶ月頃から１歳程度までの乳幼児は、まだ完全な歩行を習得しておらず、所謂「つかまり立ちや伝い歩き等」を行いながら歩行練習をする時期となっている。
しかし、その後、月齢１４ヶ月頃以降は、歩行を習得し、ジャンプや方向変換等を行う所謂「幼児歩き走り時期」となる。
この「幼児歩き走り時期」の乳幼児等は、活発に歩行等を行うため、ベビーシューズ内に足をしっかり、確実に保持させる必要がある。
【０００６】
しかし、上記の従来のベビーシューズでは、乳幼児等の足の甲側に配置され、足を踵部側に押しつけるように配置される舌状当接部が、その両側に配置されている固定用ベルトでアッパーに固定されているに過ぎない。
このため、舌状当接部がベビーシューズ内の足を踵部側にしっかり、確実に押しつけることができず、その結果、ベビーシューズ内に足をしっかり保持することができず、乳幼児等が歩行し難いという問題があった。
【０００７】
そこで、本発明は、乳幼児等の使用者が履き易く、脱ぎ易いと共に、その足をしっかり保持することができ、歩行等をし易いベビーシューズを提供することを目的とする。
【課題を解決するための手段】
【０００８】
前記課題は、本発明によれば、使用者の足の足裏側を配置するための靴底部と、前記靴底部から立ち上がるように、且つ、使用者の足を包むように形成されるアッパー本体部とを有するベビーシューズであって、前記アッパー本体部は、使用者の足を挿入するための履き口部と、前記履き口部の一部を切り欠いて爪先側方向に向かって形成されている足挿入用開口部とを有し、前記足挿入用開口部を覆うように配置される舌状当接部は、前記舌状当接部を前記足挿入用開口部側に押し付けるための押し付け部を有し、前記押し付け部には、前記舌状当接部を前記足挿入用開口部を覆う状態で維持させると共に、前記舌状当接部を踵側に向かって、使用者の足の甲に押し付けるように固定させるための位置固定部が接続され、前記押し付け部は、前記舌状当接部との相対位置が変更可能な構成となっていると共に、前記アッパー本体部に沿って、前記舌状当接部から離間する方向に前記位置固定部が移動するにしたがい前記舌状当接部を前記足挿入用開口部側により押し付ける構成となっており、前記押し付け部は、ループ状に形成された紐状部材からなり、この紐状部材は、複数の交差部を形成することで、複数の囲繞形状を形成して前記舌状当接部上の前記履き口部側と前記爪先側とを結ぶ方向である舌状当接部長手方向に沿って配置され、前記舌状当接部長手方向と交差して配置される前記紐状部材が、少なくとも、使用者の足が最も屈曲する部分である足指屈曲部の前記アッパー本体部における対応領域に配置され、前記対応領域に配置されている前記紐状部材を有する爪先側の前記囲繞形状の両側には、前記囲繞形状を形成する前記紐状部材を保持する紐状部材保持部が配置され、前記爪先側の囲繞形状を除く前記履き口部側の前記囲繞形状の両側の前記紐状部材に対して前記位置固定部がそれぞれ配置され、前記位置固定部を前記アッパー本体部に沿って、前記舌状当接部から離間する方向に移動させることで、前記囲繞形状を形成する前記紐状部材の前記舌状当接部に対する押し付け力が強くなる構成となっていることを特徴とするベビーシューズにより達成される。
【０００９】
前記構成によれば、舌状当接部に押し付け部が配置され、この押し付け部に接続されている位置固定部を利用者等が操作し、位置固定部をアッパー本体部に沿って、舌状当接部から離間する方向に移動させることで、舌状当接部を足挿入用開口部に押し付けることができる。また、この押し付け方向は、ベビーシューズの踵側となっているので、乳幼児等の足をベビーシューズ内に確実にしっかりと保持することができる。
したがって、乳幼児等の使用者が活発に歩行等を行っても、その足がベビーシューズ内に確実に保持されるので、乳幼児等にとって歩行し易いベビーシューズとなる。
一方、前記構成によれば、乳幼児等がベビーシューズを履く際や脱ぐ際は、位置固定部を操作し、舌状当接部を足挿入用開口部に近接又は離間させるだけでよく、特に紐を結ぶ等の煩雑な操作を求めないので、極めて履き易く、脱ぎ易いベビーシューズとなる。
【００１１】
前記構成によれば、押し付け部が、舌状当接部上に配置された紐状部材を交差して成す囲繞形状として形成されている。このため、位置固定部をアッパー本体部に沿って、舌状当接部から離間する方向に移動させると、この囲繞形状の紐状部材によって、舌状当接部が使用者の甲及び踵側に向かって押し付けられ、使用者の足を確実に保持できるベビーシューズとなる。
また、前記構成によれば、紐状部材が足指屈曲部に対応するアッパー本体部に形成されているので、歩行等の際、アッパー本体部が足指の屈曲に追従して変形し易い構成となっている。
【００１３】
位置固定部が配置されている囲繞形状の紐状部材が、位置固定部の移動により舌状当接部から離間する方向に移動するように引っ張られると、当該紐状部材と繋がっており、且つ、位置固定部が配置されていない囲繞形状を構成する紐状部材も引っ張られることになる。
このとき、この引っ張り力で、位置固定部が配置されていない囲繞形状が過剰に小さくなると、位置固定部の移動により発生する紐状部材の舌状当接部を押し付ける力は、この囲繞形状の縮小で発散されてしまうことになる。
そこで、前記構成では、位置固定部が配置されていない囲繞形状の両側には、前記囲繞形状を形成する前記紐状部材を保持する紐状部材保持部を配置し、かかる押し付け力の発散を防止する構成となっている。
【００１４】
好ましくは、前記複数の囲繞形状は、前記舌状当接部長手方向に沿って、前記履き口部から前記爪先部にかけて、それぞれ、上部囲繞形状、中部囲繞形状及び下部囲繞形状を含み、前記上部囲繞形状及び前記中部囲繞形状には、前記位置固定部が配置され、前記下部囲繞形状には、前記紐状部材保持部が配置されていることを特徴とするベビーシューズである。
好ましくは、前記舌状当接部には、その前記履き口部側と前記爪先側とを結ぶ方向である舌状当接部長手方向と交差して配置される前記紐状部材の前記舌状当接部長手方向における移動を規制するための移動規制部が形成されていることを特徴とするベビーシューズである。
【００１５】
前記構成によれば、舌状当接部の履き口部側と爪先側とを結ぶ方向である舌状当接部長手方向と交差して配置される紐状部材の舌状当接部長手方向における移動を規制するための移動規制部が舌状当接部に形成されている。
このため、囲繞形状を成す紐状部材のうち舌状当接部長手方向と交差して配置される紐状部材（例えば、舌状当接部の短手方向に配置される紐状部材）の位置が、舌状当接部長手方向に大きく外れることを未然に防ぐことができる。
すなわち、紐状部材は、舌状当接部上に非固定状態で配置されているので、位置固定部の移動に伴う引っ張り力の影響で、その舌状当接部上の位置が移動させられるおそれがある。
そして、舌状当接部に対する押し付け力は、紐状部材を介して加わるため、この紐状部材の位置が大きく移動すると、偏った押し付け力となり、適切に舌状当接部を使用者の足に押し付けることができない。
このため、前記構成では、紐状部材が適当な間隔を開けて、舌状当接部上に配置されるように、移動規定部が設けられている。
【００１６】
好ましくは、前記足指屈曲部の前記靴底部における対応領域には、屈曲溝部が形成されていることを特徴とするベビーシューズである。
【００１７】
前記構成によれば、屈曲溝部が、足指屈曲部に対応する靴底部に形成されているので、使用者が歩行等する際、その足指の屈曲動作に追従して、屈曲溝部が変形可能な構成となっている。
したがって、使用者の足の屈曲動作を妨げ難く、使用者にとって歩行等し易いベビーシューズとなっている。
【００１８】
好ましくは、前記移動規制部が、前記舌状当接部の略中央部を前記舌状当接部長手方向に沿って配置され、前記紐状部材からなる前記囲繞形状は、前記移動規制部の両側に略対称に形成される構成となっていることを特徴とするベビーシューズである。
【００１９】
前記構成によれば、紐状部材からなる囲繞形状は、移動規制部の両側に略対称に形成されるので、使用者やその保護者等が、紐状部材に配置されている位置固定部をアッパー本体部に沿って、舌状当接部から離間する方向に移動させたとき、舌状当接部上の紐状部材は、両側に略均等に引っ張られ、この結果、紐状部材は、舌状当接部を偏ることなく、略均等に押し付けることになる。
したがって、舌状当接部による使用者の足の甲に対する押し付け力も均等となり、偏った押し付け力が働かないので、使用者はより円滑な歩行等を行うことができる。
【発明の効果】
【００２０】
本発明は、乳幼児等の使用者が履き易く、脱ぎ易いと共に、その足をしっかり保持することができ、歩行等をし易いベビーシューズを提供することができるという利点がある。
【図面の簡単な説明】
【００２１】
【図１】本発明の実施の形態にかかるベビーシューズを示す概略斜視図である。
【図２】図１のベビーシューズ１の概略側面図である。
【図３】図１のベビーシューズ１の舌状当接部をアッパー本体部から離間する方向に移動させた状態を示す概略図である。
【図４】固定ベルトの裏面側を示す概略説明図である。
【図５】人の足指屈曲部の位置を示す概略説明図である。
【図６】図１の靴底部を示す概略図である。
【図７】乳幼児等の底屈動作を示す概略説明図である。
【図８】図２のベビーシューズの爪先側である爪先部の概略部分断面図である。
【発明を実施するための形態】
【００２２】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１及び図２に示すベビーシューズ１は、月齢１４ヶ月程度以降（足のサイズが１３．０ｃｍ程度から１５．０ｃｍ程度）の乳幼児で、歩行を習得し、走りや早歩きができるようになり、後歩き、ジャンプ、回転、大股歩きなどで移動が可能な所謂「幼児歩き走り期」の乳幼児等のためのシューズとなっている。
【００２４】
図１及び図２に示すように、本実施の形態のベビーシューズ１は、使用者である例えば、上記「幼児歩き走り期」の乳幼児の足裏側を配置するための靴底部１０を有している。
また、この靴底部１０から立ち上がるように、且つ乳幼児の足を包むように形成されるアッパー本体部２０が形成されている。
さらに、このアッパー本体部２０には、乳幼児等の足を挿入するための履き口部３０が形成されている。
また、アッパー本体部２０には、その上方を覆うように、舌状当接部５０が配置されている。
【００２５】
図３に示すように、アッパー本体部２０には、履き口部３０の一部を爪先側方向に切り欠いて足挿入用開口部４０が形成されている。
すなわち、舌状当接部５０は、この足挿入用開口部４０を覆うように配置可能であると共に、この舌状当接部５０を、足挿入用開口部４０から離間方向に移動させることで、足挿入用開口部４０を開放状態とすることもできる構成となっている。
【００２６】
このように、本実施の形態のベビーシューズ１は、乳幼児が歩行練習等をする時期に履くため、靴を履くときは、主に保護者が乳幼児にベビーシューズ１を履かせることになる。
そこで、本実施の形態のベビーシューズ１の図３に示す足挿入用開口部４０の長手方向の長さは、従来のベビーシューズより長く形成されている。
すなわち、足挿入用開口部４０の履き口部３０の踵部側端部から爪先側端部までの長さＬ２と、履き口部３０の踵部側端部からベビーシューズ１の爪先までの長さＬ１との比率が、従来のベビーシューズに比べ、長く形成されている。
【００２７】
また、図１等に示すように、ベビーシューズ１の舌状当接部５０上には、押し付け部である、例えば長尺状の紐状部材６０が配置されている。この紐状部材６０は、図１等に示すように、その両端部が連結された１本の紐からなり、この紐状部材６０が交差する２つの交差部６１ａ、６１ｂを有している。
そして、この紐状部材６０の２つの交差部６１ａ、６１ｂにより、紐状部材６０は３つの略長方形の囲繞形状６２ａ、６２ｂ、６２ｃを形成している。
この３つの囲繞形状６２ａ等は、以下、図１の舌状当接部５０の上端部側（履き口部３０側）から上部囲繞形状６２ａ、中部囲繞形状６２ｂ、そして、下部囲繞形状６２ｃと呼ぶ。
【００２８】
そして、本実施の形態では、図１及び図３に示すように、上部囲繞形状６２ａ及び中部囲繞形状６２ｂの両側（舌状当接部５０の短手方向、ベビーシューズ１の幅方向）の紐状部材６０には、それぞれ、位置固定部である例えば、固定ベルト７０ａ、７０ｂが接続されている。
【００２９】
これら固定ベルト７０ａ、７０ｂの裏面側（アッパー本体部２０と対向する側）である図３の固定ベルト裏面部７０ａｂ、７０ｂｂには、図４のクロスハッチングで示すように、固定ベルト側面ファスナ７１が設けられている。すなわち、固定ベルト７０ａ、７０ｂは、そのベースとなる生地と、固定ベルト側面ファスナ７１とから形成されている。
また、図４に示すように、１本の紐状部材６０の両端部である紐端部６３は、固定ベルト裏面部７０ｂｂ上に、固定ベルト側面ファスナ７１に挟まれるようにして固定され、全体がループ状の紐状部材６０となっている。
【００３０】
なお、本発明では、紐状部材６０の両端部（紐端部６３）が開放端とならない構成であれば良く、両端部が連結された１本の紐状部材とし、固定ベルト裏面部７０ｂｂには、非固定の状態としても構わない。また、両端部を相互に直接当接させずに、固定ベルト裏面部７０ｂｂを介して、全体をループ状にする構成としても良い。
すなわち、紐状部材の両端部を、端部として使用者が自由に操作できる構成となっていなければ構わない。
【００３１】
一方、図３に示すように、アッパー本体部２０側には、固定ベルト側面ファスナ７１に対応して、アッパー本体部側面ファスナ２１が２カ所形成されている。
したがって、先ず、利用者等が、この固定ベルト７０ａ、７０ｂをつかみ、これら固定ベルト７０ａ等をアッパー本体部２０に沿って、図１等の舌状当接部５０から離間する方向に移動させる。
そして、固定ベルト側面ファスナ７１、７１とアッパー本体部側面ファスナ２１、２１を当接させ、固定ベルト７０ａ等の位置を固定すると、これら固定ベルト７０ａ等に接続されている、図１の上部囲繞形状６２ａ及び中部囲繞形状６２ｂの紐状部材６０が、舌状当接部５０の幅方向に移動すると共に、この紐状部材６０が舌状当接部５０を押し付けることになる。
このとき、固定ベルト７０ａ等は、図２の矢印ｋに示すように、ベビーシューズ１の踵部８０に向かって配置される。
【００３２】
すると、舌状当接部５０は、使用者の足の甲を踵側に押し付けるので、使用者の足が適切に、しっかりとベビーシューズ１内に保持されることになる。
このように、本実施の形態では、舌状当接部５０上に配置されている紐状部材６０は、全体がループ状とされているので、利用者等が紐を結ぶ手間がなく、足の固定をしっかり行うことができるので、履き易いベビーシューズとなっている。
また、本実施の形態は、紐状部材６０は舌状当接部５０上に固定されておらず、その相対位置が変更可能、すなわち、紐状部材６０が舌状当接部５０上を移動可能となっている。
このため、固定ベルト７０ａ等の移動に伴い、紐状部材６０もその位置を移動させることができ、舌状当接部５０を適切な力でアッパー本体部２０に押し付けることができる。
このように、本実施の形態では、紐を利用する欠点である紐を結ぶ動作を強いることなく、紐を利用する利点である、舌状当接部５０を適切に足の甲に押し付けることができるという効果を享受することができる。
したがって、乳幼児にとって、履き易く、脱ぎ易いだけでなく、歩き易いベビーシューズ１となっている。
【００３３】
また、本実施の形態では、図１及び図２等に示すように、下部囲繞形状６２ｃのベビーシューズ１の幅方向の両側には、それぞれ紐状部材保持部である例えば、保持ベルト９０、９０が接続されている。
上述のように、固定ベルト７０ａ等が、アッパー本体部２０のアッパー本体部側面ファスナ２１と当接し、固定され、上部囲繞形状６２ａ及び中部囲繞形状６２ｂがベビーシューズ１の幅方向に引っ張られているとき、舌状当接部５０上の紐状部材６０は、ループ状の紐状部材６０で、且つ、舌状当接部５０上を移動可能な構成となっているので、図１の下部囲繞形状６２ｃの紐状部材６０は、引っ張られて、その形状の面積を小さくする方向に変形する。
すなわち、下部囲繞形状６２ｃは、ベビーシューズ１の幅方向の内側に向かって変形しようとする。
この状態を放置すると、紐状部材６０の舌状当接部５０を押さえつける力が発散されてしまい、舌状当接部５０を適切に押さえつけることができない。
【００３４】
そこで、本実施の形態では、図１等に示すように、下部囲繞形状６２ｃの両側に、それぞれ保持ベルト９０、９０を配置することで、下部囲繞形状６２ｃの縮小等の過剰変形を防止し、押し付け力の発散を防止する構成となっている。
【００３５】
また、この保持ベルト９０、９０によって、下部囲繞形状６２ｃの過剰変形を防止することで、下部囲繞形状６２ｃの紐状部材６０も乳幼児等の使用者の甲を適切に押さえることができる構成となっている。
【００３６】
ところで、乳幼児が歩行運動をする際に、足指の根元近傍を屈曲させるが、この屈曲部分が図５に示す足指屈曲部Ｃである。
図５に示すように、足指屈曲部Ｃは人の足指の第１趾から第５趾の根元付近に渡って形成されている。そして、この部分が、歩行に際し、最も屈曲する部分となる。
【００３７】
そして、本実施の形態では、図１及び図２に示す保持ベルト９０が、図５の足指屈曲部Ｃの対応位置よりやや踵部寄りに設けられる。
このため、この保持ベルト９０により保持されている図１及び図２に示す下部囲繞形状６２ｃのベビーシューズ１の幅方向に配置されている紐状部材６０のうち、最も爪先側に配置されている紐状部材６０である最下部紐状部材６４が、足指屈曲部Ｃの対応領域である例えば、上部に配置されることになる。
そして、乳幼児等の歩行動作に伴い足指屈曲部Ｃが屈曲すると、同時にアッパー本体部２０側も、この保持ベルト９０の部分で屈曲し易い構成となっており、乳幼児等の歩行動作を妨げ難い構成となっている。
【００３８】
図６に示すように、上述の足指屈曲部Ｃの下方の靴底部１０に対応する領域には、靴底部１０が屈曲し易いように屈曲溝部１１が形成されている。
このため、乳幼児等の歩行動作に伴い足指屈曲部Ｃが屈曲すると靴底部１０も屈曲溝部１１で屈曲するため、靴底部１０も、アッパー本体部２０と同様に、乳幼児等の歩行動作を妨げない構成となっている。
【００３９】
なお、図６に示すように、靴底部１０には、滑り止め用の凹凸部が全面にわたって形成されており、屈曲溝部１１も滑り止めとしての機能も発揮する構成となっている。
【００４０】
また、本実施の形態では、図１等に示すように、舌状当接部５０上には、紐状部材６０の舌状当接部５０の長手方向における移動を規制するための移動規制部である例えば、移動規制ベルト１００が形成されている。
すなわち、図１に示すように、移動規制ベルト１００は、舌状当接部５０と部分的に固定、例えば、縫合されている。
本実施の形態では、図１に示すように、５カ所の縫合部１０１ａ、１０１ｂ、１０１ｃ、１０１ｄ、１０１ｅで、移動規制ベルト１００は、舌状当接部５０に縫合、固定されている。
【００４１】
そして、この縫合部１０１ａ等の間に形成される舌状当接部５０と縫合されていない部分、すなわち、非縫合部１０２ａ、１０２ｂ、１０２ｃ、１０２ｄに、紐状部材６０の交差部６１ａ、６１ｂや最下部紐状部材６４、そして、舌状当接部５０の幅方向に配置される紐状部材６０のうち、最も履き口部３０側に配置される最上部紐状部材６５が配置される。
これらの紐状部材６０は、舌状当接部５０の幅方向の移動は規制されないが、舌状当接部５０の長手方向の移動は、各縫合部１０１ａ等により規制される構成となっている。
【００４２】
また、これら非縫合部１０２ａ等内に配置される紐状部材６０は、この非縫合部１０２ａ等と舌状当接部５０との間に配置されると共に、非縫合部１０２ａ等によって、舌状当接部５０側に押し付けられるように配置される。
すなわち、非縫合部１０２ａ等は、その内側が紐状部材６０と当接して配置され、又は容易に当接する程度の間隔を持って配置されている。
【００４３】
したがって、利用者が固定ベルト７０ａ、７０ｂを持って操作すると、この操作により影響を受ける紐状部材６０の動きが、これと当接等している非縫合部１０２ａ等に伝わり、移動規制ベルト１００を介して、舌状当接部５０に伝搬することになる。
このように、利用者の固定ベルト７０ａ等の操作が、迅速に舌状当接部５０に伝わるので、利用者は、足挿入用開口部４０を、迅速に開放又は被覆させることができる。
【００４４】
ところで、上述のように、固定ベルト７０ａ、７０ｂを利用者等が、アッパー本体部２０に沿って動かすと、舌状当接部５０上の紐状部材６０が引っ張られ、この引っ張り力により、舌状当接部５０上の上部囲繞形状６２ａ、中部囲繞形状６２ｂ等が著しく変形し、紐状部材６０が舌状当接部５０上の偏った位置に配置されるおそれがある。
【００４５】
この場合、紐状部材６０による舌状当接部５０に対する押し付け力も偏ったものとなり、舌状当接部５０が適切に乳幼児等の足の甲を押し付けることができなくなり、乳幼児等の歩行動作を妨げるおそれがある。
そこで、本実施の形態では、図１の縫合部１０１ａ等により、紐状部材６０が適切な間隔を保持して、舌状当接部５０上に配置される構成となっている。
これにより、舌状当接部５０上の紐状部材６０の偏りを未然に防ぐことができる。
【００４６】
また、図１に示すように、移動規制ベルト１００は、舌状当接部５０の幅方向の略中央部分を長手方向に沿って配置されている。このため、舌状当接部５０上に配置されている紐状部材６０は、この移動規制ベルト１００の両側に略対称に配置され、上部囲繞形状６２ａ等も略対称の形状となっている。
したがって、利用者等が、図１の固定ベルト７０ａ、７０ｂを動かした場合、舌状当接部５０上の紐状部材６０も両側に略均一に引っ張られると共に、舌状当接部５０も紐状部材６０により、略均一に押し付けられることになり、乳幼児等の足に対する適切な押し付け力を確保でき、足がベビーシューズ１内に適切に保持されることになる。
【００４７】
また，図２に示すように、ベビーシューズ１の履き口部３０の上端部には、乳幼児等の足首等を保護し、保持するため柔軟な材質から成る柔軟部３１が配置されている。
この柔軟部３１の上端は、図２に示すように、その側面側から見ると、足挿入用開口部４０側（図２の右側）から踵部８０側（図２の左側）にかけて斜めに下降する形状となっている。
【００４８】
ところで、乳幼児等は、その歩行練習等の一環として、図７に示すような底屈動作を行う。すなわち、足の甲の部分を真っ直ぐに伸ばし、足裏を丸めるような動きをする。このとき、足の踵はふくらはぎに近づくような動きとなる。
したがって、乳幼児等がベビーシューズ１を履いて、底屈動作をした場合、図２の履き口部３０の後端側（踵部８０側）に、乳幼児等の足首のアキレス腱側が押し付けられて、この底屈動作を妨げるおそれがある。
しかし，本実施の形態では、履き口部３０の上端側である柔軟部３１の後端側は、足挿入用開口部４０側より低く形成されているため、この後端側が乳幼児等の足のアキレス腱側に過度に当接して、その底屈動作を妨げることがない構成となっている。
したがって、乳幼児等は、その歩行動作練習の一環である「底屈動作」を十分に行うことができる。
【００４９】
図８に示すように、ベビーシューズ１の爪先部１１０の内部における乳幼児等の足指との間の上下方向の隙間部ｈは、親指との間の隙間部ｈが最も大きく、小指の配置される部分に向かって、隙間部ｈが漸次小さくなる構成となっている。
また、図８に示すように、爪先部１１０内の乳幼児等の小指の外側の側方に相当する部分に、小指の外方への動きを可能にする空間Ｗが形成されている。
【００５０】
このため、乳幼児等が歩行練習に際し、そのバランス等をとるために、親指を上に向ける「背屈」をすることができる。また、同様にバランスをとるために、小指を外側に広げる動作もすることができる。
したがって、乳幼児等が歩行練習等の動作を行い易い構成となっている。
【００５１】
また、図２に示すように、ベビーシューズ１の爪先部１１０の先端側は、接地面から上方に角度θだけ反り上がる構成となっている。具体的には、ベビーシューズ１は、屈曲溝部１１の爪先側端部から角度θだけ反り上がる。この角度θは、乳幼児等が歩行に際し、つまずき難い角度となっている。
【００５２】
なお、図１に示すように、履き口部３０の踵部８０側である後側には、履き口部３０内に乳幼児の足を挿入する際に用いるループ１２０が形成されている。
【００５３】
ところで、図３等に示すように、本実施の形態では、舌状当接部５０は、その先端側（爪先側）がアッパー本体部２０に縫合等されて接続されている。したがって、舌状当接部５０は、この接続部分を支点に揺動することで、足挿入用開口部４０を開放又は被覆させることができる構成となっている。
しかし、本発明は、上述の実施の形態のみならず、舌状当接部５０がアッパー本体部２０と接続されていない構成も含まれる。この場合を本実施の形態の構成を用いて以下、説明する。
すなわち、舌状当接部５０は、その上に移動規制ベルト１００が形成されていれば、この移動規制ベルト１００を介して、紐状部材６０と連結される。また、アッパー本体部２０は、保持ベルト９０を介して、紐状部材６０と連結されている。
したがって、舌状当接部５０は、その一端部が直接、アッパー本体部２０に接続されていなくても、適切に足挿入用開口部４０を開放又は被覆することができる。
【符号の説明】
【００５４】
１・・・ベビーシューズ、１０・・・靴底部、１１・・・屈曲溝部、２０・・・アッパー本体部、２１・・・アッパー本体部側面ファスナ、３０・・・履き口部、３１・・・柔軟部、４０・・・足挿入用開口部、５０・・・舌状当接部、６０・・・紐状部材、６１ａ、６１ｂ・・・交差部、６２ａ・・・上部囲繞形状、６２ｂ・・・中部囲繞形状、６２ｃ・・・下部囲繞形状、６３・・・紐端部、６４・・・最下部紐状部材、６５・・・最上部紐状部材、７０ａ、７０ｂ・・・固定ベルト、７０ａｂ、７０ｂｂ・・・固定ベルト裏面部、７１・・・固定ベルト側面ファスナ、８０・・・踵部、９０・・・保持ベルト、１００・・・移動規制ベルト、１０１ａ、１０１ｂ、１０１ｃ、１０１ｄ、１０１ｅ・・・縫合部、１０２ａ、１０２ｂ、１０２ｃ、１０２ｄ・・・非縫合部、１１０・・・爪先部、１２０・・・ループ
【図１】
0005583483.tif 000002
【図２】
0005583483.tif 000003
【図３】
0005583483.tif 000004
【図４】
0005583483.tif 000005
【図５】
0005583483.tif 000006
【図６】
0005583483.tif 000007
【図７】
0005583483.tif 000008
【図８】
0005583483.tif 000009